(57)【要約】【課題】ユーザの希望購入商品から読み取ったＩＣ情報から当該商品のスペック項目及び内容を一覧表示する際、スペック項目の優位性の高い順に当該商品を表示し、購入選択の判断を容易にする商品比較情報表示システムを提供する。【解決手段】ユーザが選択した２つ以上の購入希望商品２を無線ＩＣタグリーダ３の読み取り可能位置に配置すると、制御部４、当該商品２に付された無線ＩＣタグ１０のＩＣ情報を読み取り、読み取ったＩＣ情報から当該商品２の組み合わせデータをデータ記憶部６から読み出し、読み出した組み合わせデータを各スペック項目に対する優位性情報を用い、商品比較情報表示部７で表示する当該商品２の表示順序をその優位性度合いの高い順に並び替えた表示データを形成し、その表示データを商品比較情報表示部７に供給し、商品比較情報表示部７で並び替えた各商品２毎の表示データを予め設定した順序に表示させる。【選択図】図１
2008083771.tif 000002
【特許請求の範囲】
【請求項１】
それぞれの店舗内に配置され、無線ＩＣタグのＩＣ情報を読み取る無線ＩＣタグリーダと、各店舗に陳列された複数の無線ＩＣタグ付き商品とそれらの商品のスペック項目及びそれらの項目のスペック内容と前記各スペック項目に対する優位性情報とからなる組み合わせデータを記憶しているデータ記憶部と、前記無線ＩＣタグリーダでＩＣ情報を読み取った商品に対して前記組み合わせデータを表示する商品比較情報表示部と、前記無線ＩＣタグリーダと前記データ記憶部と前記商品比較情報表示部とデータ処理部とに結合された制御部とを備えるデータ処理端末が用いられ、ユーザが２つ以上の購入希望商品を選択し、選択した購入希望商品を前記無線ＩＣタグリーダの読み取り可能位置に配置すると、前記制御部は、それらの商品に付された無線ＩＣタグのＩＣ情報を読み取り、読み取ったＩＣ情報に基づいて当該購入希望商品における前記組み合わせデータを前記データ記憶部から読み出し、読み出した前記組み合わせデータを前記商品比較情報表示部に供給し、前記商品比較情報表示部において各購入希望商品毎の前記組み合わせデータを比較可能な状態で表示させることを特徴とする商品比較情報表示システム。
【請求項２】
請求項１に記載の商品比較情報表示システムにおいて、前記商品比較情報表示部において２つ以上の購入希望商品に対する組み合わせデータが表示されているとき、ユーザがさらに別の購入希望商品を前記ＩＣタグリーダの読み取り可能位置に追加配置すると、前記制御部は、前記無線ＩＣタグリーダが追加した購入希望商品の無線ＩＣタグのＩＣ情報を含む全てのＩＣ情報を読み取り、読み取ったＩＣ情報に基づいて当該購入希望商品における前記組み合わせデータを前記データ記憶部から読み出し、読み出した前記組み合わせデータを含む全購入希望商品に対する前記組み合わせデータを前記商品比較情報表示部に供給し、前記商品比較情報表示部において各購入希望商品毎の前記組み合わせデータを比較可能な状態で表示させることを特徴とする商品比較情報表示システム。
【請求項３】
請求項１に記載の商品比較情報表示システムにおいて、前記商品比較情報表示部において３つ以上の購入希望商品に対する組み合わせデータが表示されているとき、ユーザがその中の１つの購入希望商品を前記無線ＩＣタグリーダの読み取り可能位置から撤去すると、前記制御部は、撤去されていない全ての購入希望商品の無線ＩＣタグのＩＣ情報を読み取り、読み取ったＩＣ情報に基づいて当該購入希望商品における前記組み合わせデータを前記データ記憶部から読み出し、読み出した前記組み合わせデータを含む全購入希望商品に対する前記組み合わせデータを前記商品比較情報表示部に供給し、前記商品比較情報表示部において各購入希望商品毎の前記組み合わせデータを比較可能な状態で表示させることを特徴とする商品比較情報表示システム。
【請求項４】
それぞれの店舗内に配置され、無線ＩＣタグのＩＣ情報を読み取る無線ＩＣタグリーダと、各店舗に陳列された無線ＩＣタグ付き商品とそれらのスペック項目及びそれらの項目のスペック内容と前記各スペック項目に対する優位性情報とからなる組み合わせデータを記憶しているデータ記憶部と、前記無線ＩＣタグリーダでＩＣ情報を読み取った商品に対して前記組み合わせデータを表示する商品比較情報表示部と、前記無線ＩＣタグリーダと前記データ記憶部と前記商品比較情報表示部とデータ処理部とに結合された制御部とを備えるデータ処理端末が用いられ、来店したユーザが２つ以上の購入希望商品を選択し、選択した購入希望商品を前記無線ＩＣタグリーダの読み取り可能位置に配置すると、前記制御部は、それらの商品に付された無線ＩＣタグのＩＣ情報を読み取り、読み取ったＩＣ情報に基づいて当該購入希望商品における前記組み合わせデータを前記データ記憶部から読み出し、読み出した前記組み合わせデータを各スペック項目に対する優位性情報を用いて、前記商品比較情報表示部で表示する当該購入希望商品の表示順序を各スペック項目に対する優位性度合いの高い順に並び替えた表示データを形成し、その表示データを前記商品比較情報表示部に供給し、前記商品比較情報表示部において並び替えた各購入希望商品毎の前記表示データを予め設定した順序に表示させることを特徴とする商品比較情報表示システム。
【請求項５】
請求項４に記載の商品比較情報表示システムにおいて、前記商品比較情報表示部において２つ以上の購入希望商品に対する組み合わせデータが表示されているとき、ユーザがさらに別の購入希望商品を前記ＩＣタグリーダの読み取り可能位置に追加配置すると、前記制御部は、前記無線ＩＣタグリーダが追加した購入希望商品の無線ＩＣタグのＩＣ情報を含む全てのＩＣ情報を読み取り、読み取ったＩＣ情報に基づいて当該購入希望商品における前記組み合わせデータを前記データ記憶部から読み出し、読み出した前記組み合わせデータを各スペック項目に対する優位性情報を用いて、前記商品比較情報表示部で表示する当該購入希望商品の表示順序を各スペック項目に対する優位性度合いの高い順に並び替えた表示データを形成し、その表示データを前記商品比較情報表示部に供給し、前記商品比較情報表示部において並び替えた各購入希望商品毎の前記表示データを予め設定した順序に表示させることを特徴とする商品比較情報表示システム。
【請求項６】
請求項４に記載の商品比較情報表示システムにおいて、前記商品比較情報表示部において３つ以上の購入希望商品に対する組み合わせデータが表示されているとき、ユーザがその中の１つの購入希望商品を前記無線ＩＣタグリーダの読み取り可能位置から撤去すると、前記制御部は、撤去されていない全ての購入希望商品の無線ＩＣタグのＩＣ情報を読み取り、読み取ったＩＣ情報に基づいて当該購入希望商品における前記組み合わせデータを前記データ記憶部から読み出し、読み出した前記組み合わせデータを各スペック項目に対する優位性情報を用いて、前記商品比較情報表示部で表示する当該購入希望商品の表示順序を各スペック項目に対する優位性度合いの高い順に並び替えた表示データを形成し、その表示データを前記商品比較情報表示部に供給し、前記商品比較情報表示部において並び替えた各購入希望商品毎の前記表示データを予め設定した順序に表示させることを特徴とする商品比較情報表示システム。
【請求項７】
請求項４乃至６のいずれか一項に記載の商品比較情報表示システムにおいて、前記商品比較情報表示部における前記各購入希望商品毎の前記表示データに対する予め設定した順序の表示は、表示面の左側から順に表示するものであることを特徴とする商品比較情報表示システム。
【請求項８】
請求項４乃至６のいずれか一項に記載の商品比較情報表示システムにおいて、前記商品比較情報表示部における前記各購入希望商品毎の前記表示データに対する予め設定した順序の表示は、表示面の上側から順に表示するものであることを特徴とする商品比較情報表示システム。
【発明の詳細な説明】
【技術分野】
【０００１】
本発明は、商品比較情報表示システムに係わり、特に、ユーザが適宜選択した購入希望商品に付された無線ＩＣタグのＩＣ情報を読み取り、読み取ったＩＣ情報からその購入希望商品とそれらの商品の各スペック項目の内容とをその内容の優位性の高い順に商品比較情報として表示させる商品比較情報表示システムに関する。
【背景技術】
【０００２】
従来、ユーザーが店舗等で希望商品を購入する場合、その希望商品の種別が多かったり、同じ種別であっても製造メーカが複数社あったりすると、複数の希望商品の中のどの商品を購入するかを決める際に、通常、店舗に用意されている商品カタログ等を用い、それらの商品仕様や商品内容の比較をして決めることが通常行われている。ところが、このとき使用される商品カタログは、製造メーカが異なったり、製造時期が異なっていたりすると、その商品仕様や商品内容の表示方法が異なっている場合が多く、購入すべき希望商品をその場で適確に判断して決めることは、煩雑であって容易にできることではない。
【０００３】
このような背景の中で、複数の購入すべき希望商品についてそれらの性能や価格を一覧表示させる手段を設け、ユーザがその表示内容を見ることにより、希望商品の選択を比較的容易に行えるようにした装置が既に提案されており、その中の１つに特開２００２−２８８５４２号に開示された商品選択支援装置があり、その中の他の１つに特開２００５−０１１２９１号に開示された商品情報比較装置がある。
【０００４】
前記特開２００２−２８８５４２号公報に開示された商品選択支援装置は、ユーザが自己の端末を通して商品情報提供サーバにアクセスすると、商品情報提供サーバから複数の商品メーカから提供された商品情報収集データを用いて作成した比較項目別の商品情報を記録した比較表がユーザに提供されるもので、ユーザがその比較表の中の重要であると思われる比較項目を選択し、選択した比較項目毎にその希望要件を選択指定して商品情報提供サーバにアクセスすると、商品情報提供サーバ側がその希望要件を満たす商品だけを選択し、選択した商品のそれぞれに点数を付し、かつ、その商品を使用した他のユーザの評価も併せて商品情報提供サーバからユーザに提供されるものである。
【０００５】
また、特開２００５−０１１２９１号公報に開示された商品選択支援装置は、ＩＣタグリーダ端末及び表示装置付きの入力装置が店舗内に設けられるとともに、店舗に陳列されている各商品にそれらの商品情報を記憶したＩＣタグが付されているもので、ＩＣタグリーダ端末が各商品のＩＣタグからそれらの商品情報を無線データとして受信すると、受信した商品情報が記憶装置にそれぞれ蓄積されるもので、この後、ユーザが店舗内に陳列されている複数の購入希望商品を入力装置を通して選択入力すると、選択入力した複数の購入希望商品に該当するそれぞれの商品情報が記憶装置から読み出され、読み出されたそれぞれの商品情報を商品価格の安い順に並び換えて表示装置で一括表示されるものである。
【特許文献１】特開２００２−２８８５４２号公報
【特許文献２】特開２００５−０１１２９１号公報
【発明の開示】
【発明が解決しようとする課題】
【０００６】
ところで、特開２００２−２８８５４２号公報に開示された商品選択支援装置は、ユーザが商品情報提供サーバに格納されている多くの商品の中から自己の希望する複数の商品を選択入力する際に、ユーザがそれらの商品における重要であると思われる比較項目を選択し、選択した比較項目毎にそれらの希望要件を選択指定すると、商品情報提供サーバがそれらの希望要件を満たす商品だけを選択し、選択したそれぞれの商品に点数を付し、かつ、それらの商品を使用した他のユーザの評価も併せてユーザに提供されるものであることから、ユーザは、１つまたは複数の店舗を見て回ることなく、ほぼユーザの希望にかなう商品をいながらにして選択することができるという利点がある反面で、ユーザは、自己の端末を用いて希望する複数の商品に対してそれぞれ重要であると思われる比較項目を選択操作したり、選択操作した比較項目毎にそれらの希望要件の入力操作したりする必要があり、ユーザによっては、それらの操作が煩雑で、短い時間内に自己の希望内容を操作入力することができない等の不具合が発生する懸念を有するものである。
【０００７】
また、特開２００５−０１１２９１号公報に開示された商品選択支援装置は、足を運んだ店舗内にある複数の購入希望商品をユーザ自体が選択し、選択した各購入希望商品のＩＣタグをＩＣタグリーダ端末で読み取らせるだけで、選択した複数の購入希望商品の商品情報を商品価格の安い順に並び換えて表示装置に表示させることができるという利点がある反面で、表示装置に表示される複数の購入希望商品は、商品価格の安い順に表示されているので、安価な点だけを主点として購入を決めるユーザは別として、複数の購入希望商品のそれぞれの機能や使い易さ等を主眼として購入を決めるユーザに対しては表示装置に表示される内容を見る限り、その表示内容を全般的に検討した上でユーザ自身が適宜選択せざるを得ず、必ずしも、使い勝手が良好であるということができない。
【０００８】
本発明は、このような技術的背景に鑑みてなされたもので、その１つの目的は、ユーザが選択した無線ＩＣタグ付の複数の希望購入商品のＩＣ情報を読み取って当該商品とそれらのスペック項目の内容を一覧表示する際に、商品比較情報として利用し易い形式の表示が行われる商品比較情報表示システムを提供することにある。
【０００９】
また、本発明の他の目的は、ユーザが選択した無線ＩＣタグ付の複数の希望購入商品のＩＣ情報を読み取って当該商品とそれらのスペック項目の内容を一覧表示する際に、当該商品におけるスペック項目の優位性の高い順に表示して当該商品の購入選択の判断が容易になる商品比較情報表示システムを提供することにある。
【課題を解決するための手段】
【００１０】
前記１つの目的を達成するために、本発明による商品比較情報表示システムは、それぞれの店舗内に配置され、無線ＩＣタグのＩＣ情報を読み取る無線ＩＣタグリーダと、各店舗に陳列された複数の無線ＩＣタグ付き商品とそれらの商品のスペック項目及びそれらの項目のスペック内容と各スペック項目に対する優位性情報とからなる組み合わせデータを記憶しているデータ記憶部と、無線ＩＣタグリーダでＩＣ情報を読み取った商品に対して組み合わせデータを表示する商品比較情報表示部と、無線ＩＣタグリーダとデータ記憶部と商品比較情報表示部とデータ処理部とに結合された制御部とを備えるデータ処理端末が用いられ、ユーザが２つ以上の購入希望商品を選択し、選択した購入希望商品を無線ＩＣタグリーダの読み取り可能位置に配置すると、制御部は、それらの商品に付された無線ＩＣタグのＩＣ情報を読み取り、読み取ったＩＣ情報に基づいて当該購入希望商品における組み合わせデータをデータ記憶部から読み出し、読み出した組み合わせデータを商品比較情報表示部に供給し、商品比較情報表示部において各購入希望商品毎の組み合わせデータを比較可能な状態で表示させる第１の構成手段を具備する。
【００１１】
また、前記他の目的を達成するために、本発明による商品比較情報表示システムは、それぞれの店舗内に配置され、無線ＩＣタグのＩＣ情報を読み取る無線ＩＣタグリーダと、各店舗に陳列された無線ＩＣタグ付き商品とそれらのスペック項目及びそれらの項目のスペック内容と各スペック項目に対する優位性情報とからなる組み合わせデータを記憶しているデータ記憶部と、無線ＩＣタグリーダでＩＣ情報を読み取った商品に対して組み合わせデータを表示する商品比較情報表示部と、無線ＩＣタグリーダとデータ記憶部と商品比較情報表示部とデータ処理部とに結合された制御部とを備えるデータ処理端末が用いられ、来店したユーザが２つ以上の購入希望商品を選択し、選択した購入希望商品を無線ＩＣタグリーダの読み取り可能位置に配置すると、制御部は、それらの商品に付された無線ＩＣタグのＩＣ情報を読み取り、読み取ったＩＣ情報に基づいて当該購入希望商品における組み合わせデータをデータ記憶部から読み出し、読み出した組み合わせデータを各スペック項目に対する優位性情報を用いて、商品比較情報表示部で表示する当該購入希望商品の表示順序を各スペック項目に対する優位性度合いの高い順に並び替えた表示データを形成し、その表示データを商品比較情報表示部に供給し、商品比較情報表示部において並び替えた各購入希望商品毎の表示データを予め設定した順序に表示させる第２の構成手段を具備する。
【００１２】
また、前記第１の構成手段の商品比較情報表示システムが稼働しており、商品比較情報表示部で２つまたは３つ以上の購入希望商品とそれらの商品のスペック項目の内容を表示しているとき、ユーザがＩＣタグリーダの読み取り可能位置に配置している購入希望商品の数を１つ追加配置したり１つ撤去したりすると、制御部は、現在ＩＣタグリーダの読み取り可能位置に配置している各購入希望商品に付された無線ＩＣタグのＩＣ情報を読み取り、読み取ったＩＣ情報に基づいて当該購入希望商品における組み合わせデータをデータ記憶部から読み出し、読み出した組み合わせデータを商品比較情報表示部に供給し、商品比較情報表示部において各購入希望商品毎の組み合わせデータを比較可能な状態で表示させる第１の付加的構成手段を具備している。
【００１３】
さらに、前記第２の構成手段の商品比較情報表示システムが稼働しており、商品比較情報表示部で２つまたは３つ以上の購入希望商品とそれらの商品のスペック項目の内容を表示しているとき、ユーザがＩＣタグリーダの読み取り可能位置に配置している購入希望商品の数を１つ追加配置したり１つ撤去したりすると、制御部は、現在ＩＣタグリーダの読み取り可能位置に配置している各購入希望商品に付された無線ＩＣタグのＩＣ情報を読み取り、読み取ったＩＣ情報に基づいて当該購入希望商品における組み合わせデータをデータ記憶部から読み出し、読み出した組み合わせデータを各スペック項目に対する優位性情報を用いて、商品比較情報表示部で表示する当該購入希望商品の表示順序を各スペック項目に対する優位性度合いの高い順に並び替えた表示データを形成し、その表示データを商品比較情報表示部に供給し、商品比較情報表示部において並び替えた各購入希望商品毎の前記表示データを予め設定した順序に表示させる第２の付加的構成手段を具備している。
【００１４】
この場合、第２の構成手段また第２の付加的構成手段において、商品比較情報表示部における各購入希望商品毎の表示データに対する予め設定した順序の表示は、表示面の左側から順に表示するか、表示面の上側から順に表示するものである第３の付加的構成手段を具備している。
【発明の効果】
【００１５】
以上述べたように、請求項１乃至３に記載した商品比較情報表示システムによれば、ユーザが選択した複数の購入希望商品を選択し、選択した購入希望商品を無線ＩＣタグリーダの近傍に配置するだけで、無線ＩＣタグリーダが複数の購入希望商品に付いている無線ＩＣタグからＩＣ情報を読み取り、読み取ったＩＣ情報に基づいて当該複数の購入希望商品に対する組み合わせデータをデータ記憶部から読み出し、読み出した組み合わせデータを商品比較情報表示部に供給し、商品比較情報表示部で当該複数の購入希望商品に係る組み合わせデータを表示する際に、各スペック項目に対する優位性情報を含んだ表示をするようにしたので、ユーザは、商品比較情報表示部に表示された複数の購入希望商品における各スペック項目の優位性を含んだスペック内容を比較することが容易になり、複数の購入希望商品におけるそれぞれの商品価値の高低を多くの時間を掛けずに判断できるという効果がある。
【００１６】
また、請求項４乃至６に記載した商品比較情報表示システムによれば、ユーザが選択した複数の購入希望商品を選択し、選択した購入希望商品を無線ＩＣタグリーダの近傍に配置するだけで、無線ＩＣタグリーダが複数の購入希望商品に付いている無線ＩＣタグからＩＣ情報を読み取り、読み取ったＩＣ情報に基づいて当該複数の購入希望商品に対する組み合わせデータをデータ記憶部から読み出し、読み出したされ、読み出された組み合わせデータを各スペック項目に対する優位性情報を用いて、商品比較情報表示部で表示する当該購入希望商品の表示順序を各スペック項目に対する優位性度合いの高い順に並び替えて表示データを形成し、その表示データを商品比較情報表示部に供給し、商品比較情報表示部において並び替えた各購入希望商品毎の表示データを予め設定した順序に表示させるようにしたので、ユーザは複数の購入希望商品に対する各購入希望商品の表示順序を見ることにより、複数の購入希望商品におけるそれぞれの商品価値の高低を即座に判断できるという効果がある。
【発明を実施するための最良の形態】
【００１７】
以下、図面を参照して本発明の実施の態様について説明する。
【００１８】
図１は、本発明による商品比較情報表示システムの実施の態様を示すもので、その要部構成を表すブロック図である。
【００１９】
図１に示すように、この商品比較情報表示システムは、店舗内に配置されたデータ処理端末１と、データ処理端末１の無線ＩＣタグリーダ３のユーザが選択した複数（ｎ）の購入希望商品２（１）、２（２）、・・・、２（ｎ）とからなり、それぞれの購入希望商品２（１）、２（２）、・・・、２（ｎ）は、それぞれ無線ＩＣタグ１０（１）、１０（２）、・・・、１０（ｎ）が取り付けられ、データ処理端末１における無線ＩＣタグリーダ３の読み出し可能範囲内の位置に配置したものである。そして、データ処理端末１は、内部アンテナ３（１）が付属している無線ＩＣタグリーダ３と、データ処理端末を統括制御する制御部４と、ワークエリアを備えるデータ処理部５と、店舗で取り扱う無線ＩＣタグ１０が付けられた複数の商品２について、それらの商品の商品種別（商品名称及び製品番号等）と当該商品別のスペック項目及びそれらのスペック項目の内容とそれぞれのスペック項目の内容に付された優位性情報とが格納されているデータ記憶部６と、商品比較表を表示する表示画面を有する商品比較情報表示部７と、キーボードやマウス等の操作部８とを備えており、無線ＩＣタグリーダ３と制御部４とデータ処理部５とデータ記憶部６と商品比較情報表示部７と操作部８はライン９によって相互結合されている。
【００２０】
ここで、図２は、前記構成による商品比較情報表示システムのデータ記憶部６に格納されるデータベースの内容を示すもので、無線ＩＣタグが付けられた５種の携帯電話Ａ乃至Ｅにおけるデータ格納例を示すものであり、図２に図示していないが、他の商品についても同じようなデータを格納している。
【００２１】
図２に示されるように、データ記憶部６に格納されるデータベースは、各携帯電話Ａ乃至Ｅ毎の組み合わせデータ、すなわちスペック項目とその優位性とスペック内容とからなるデータである。この場合、スペック項目は、ＩＤ、機種名、サイズ・重量、ディスプレイサイズ、連続通話時間についてのスペック項目を各携帯電話Ａ乃至Ｅに共通設定しているが、それ以外のスペック項目については、各携帯電話Ａ乃至Ｅ毎にそれぞれ異なる設定をしている。また、優位性については、携帯電話の商品価値を判断する際に役立つスペック項目に対して選択的に付与され、優位性の程度を大または小で表わしている。さらに、スペック内容については、各携帯電話Ａ乃至Ｅ毎の個別の内容を示している。
【００２２】
また、図３は、データ処理部５の内部メモリに設定されているワークエリア及び表示エリアを示すもので、この例では、３つのワークエリアＡ乃至Ｃと１つの表示エリアとからなっており、購入希望商品が携帯電話Ａ乃至Ｃであるときの格納例を示すものである。
【００２３】
図３に示されるように、ワークエリアＡは、無線ＩＣタグリーダ３で読み取った携帯電話Ａ乃至Ｃに付与されたＩＤが順次格納される領域であり、ワークエリアＢ及びＣは、ワークエリアＡに格納されたＩＤに対応する携帯電話Ａ乃至Ｃの組み合わせデータが格納される領域であり、表示エリアは、表示すべき携帯電話Ａ乃至Ｃの組み合わせデータが格納される領域である。なお、ワークエリアＡ乃至Ｃ及び表示エリアへのデータの格納処理及びそれらのデータのクリア処理については後述する。
【００２４】
さらに、図４及び図５は、この商品比較情報表示システムにおける第１の動作経緯を示すフローチャートであって、このフローチャートを用い、この商品比較情報表示システムで実行される第１の動作について説明する。この場合、本システムにおける動作は、ユーザが購入希望商品として、例えば３台の携帯電話Ａ、Ｂ、Ｃを選択し、選択した携帯電話Ａ、Ｂ、Ｃを無線ＩＣタグリーダ３の読み取り可能位置に配置することにより開始される。
【００２５】
無線ＩＣタグリーダ３の読み取り可能位置に３台の携帯電話Ａ、Ｂ、Ｃを配置すると、始めに、ステップＳ１において、制御部４は、無線ＩＣタグリーダ３により無線ＩＣタグ１０に設定されているＩＣ情報の読み取りが可能になる。
【００２６】
次に、ステップＳ２において、制御部４は、無線ＩＣタグ１０からのＩＤを読み取ったか否かを判断する。そして、ＩＤを読み取ったと判断した（Ｙ）ときは次のステップＳ３に移行し、一方、ＩＤを読み取っていないと判断した（Ｎ）ときはステップＳ１に戻り、ステップＳ１以降の動作を繰り返し実行する。
【００２７】
次いで、ステップＳ３において、制御部４は、読み取ったそれぞれのＩＤをデータ処理部５のワークエリアＡに転送し、そこに順次格納する。
【００２８】
続いて、ステップＳ４において、制御部４は、データ処理部５のワークエリアＡに格納したそれぞれのＩＤの中の一つのＩＤ、例えば携帯電話Ａに付されたＩＤを抽出する。
【００２９】
続く、ステップＳ５において、制御部４は、抽出した一つのＩＤからそのＩＤに関連する組み合わせデータ、この例では携帯電話Ａにおける組み合わせデータをデータ記憶部６から読み出し、読み出した組み合わせデータをデータ処理部５のワークエリアＢに転送し、そこに格納する。このとき、組み合わせデータの中のスペック項目、優位性及びスペック内容は、それそれ、ワークエリアＢのＡ列、Ｂ列及びＣ列に格納される。
【００３０】
次に、ステップＳ６において、制御部４は、データ処理部５のワークエリアＡに次のＩＤがあるか否かを判断する。そして、次のＩＤがあると判断した（Ｙ）ときは次のステップＳ７に移行し、一方、次のＩＤがないと判断した（Ｎ）ときは、図５に図示されるフローチャートに移行する。
【００３１】
次いで、ステップＳ７において、制御部４は、データ処理部５のワークエリアＡに格納したそれぞれのＩＤの中の次の一つのＩＤ、例えば携帯電話Ｂに付されたＩＤを抽出する。
【００３２】
続いて、ステップＳ８において、制御部４は、データ処理部５のワークエリアＡから抽出したＩＤの数をカウントする。例えば、２つ目のＩＤであれば２をカウントする。
【００３３】
続く、ステップＳ９において、制御部４は、今回抽出したＩＤからそのＩＤに関連する組み合わせデータ、この例では携帯電話Ｂにおける組み合わせデータをデータ記憶部６から読み出し、読み出した組み合わせデータをデータ処理部５のワークエリアＣに転送し、そこに格納する。このときも、組み合わせデータの中のスペック項目、優位性及びスペック内容は、それぞれ、ワークエリアＣのＡ列、Ｂ列及びＣ列に格納される。
【００３４】
次に、ステップＳ１０において、制御部４は、今回データ処理部５のワークエリアＣのＡ列に格納された各スペック項目と、前回ワークエリアＢのＡ列に格納された各スペック項目とが一致しているか否かを判断する。そして、２つのスペック項目が一致していないと判断した（Ｎ）ときは次のステップＳ１１に移行し、一方、２つのスペック項目が一致していると判断した（Ｙ）ときは他のステップＳ１３に移行する。
【００３５】
次いで、ステップＳ１１において、制御部４は、データ処理部５のワークエリアＣのＡ列に格納されたスペック項目の中にワークエリアＢのＡ列に格納されたスペック項目にない項目があった場合、ワークエリアＢのＡ列の最後にそのスペック項目を新たに追加格納する。
【００３６】
続いて、ステップＳ１２において、制御部４は、データ処理部５のワークエリアＣのＡ列に格納されたスペック項目の中にワークエリアＢのＡ列に格納されたスペック項目にない項目があった場合、ワークエリアＢのＢ列の最後に新たに追加したスペック項目に対する優位性を追加格納する。
【００３７】
続く、ステップＳ１３において、制御部４は、データ処理部５のワークエリアＡから抽出したＩＤの数に対応するワークエリアＢの列、この場合Ｄ列に、ワークエリアＣのＣ列に格納したスペック内容と同じ内容を格納する。
【００３８】
次に、ステップＳ１４において、制御部４は、データ処理部５のワークエリアＣをクリアし、この処理が終了すると、ステップＳ６に戻り、再びステップＳ６以降の処理を繰り返し実行する。
【００３９】
ここで、図５のフローチャートに移行したステップＳ１５において、制御部４は、データ処理部５のワークエリアＢに格納された組み合わせデータを表示エリアに転送し、表示エリアの対応領域に複写する。
【００４０】
次に、ステップＳ１６において、制御部４は、データ処理部５の表示エリアに複写した組み合わせデータを商品比較情報表示部７に供給し、商品比較情報表示部７において各購入希望商品毎の組み合わせデータを比較可能な状態として表示する。この場合、比較可能な状態の表示は、例えば、図８乃至図１０に図示された各携帯電話の表示内容のように、表示の対象となるそれぞれの携帯電話のスペック項目を表示する際に、総合したスペック項目内容からその優位性が高い順番にそれぞれの携帯電話を左側から順に表示する、すなわち、左側に表示されている携帯電話ほどその優位性が高いことを表しているもので、ユーザがその表示内容を見れば、それぞれの携帯電話における商品価値の高低を多くの時間を掛けずに判断できるものである。
【００４１】
次いで、ステップＳ１７において、制御部４は、商品比較情報表示部７に組み合わせデータを供給してから所定の時間、例えば６０秒が経過したか否かを判断する。そして、所定の時間が未だ経過していないと判断した（Ｎ）ときはこのステップＳ１７を繰り返し実行し、一方、所定の時間が既に経過していると判断した（Ｙ）ときは次のステップＳ１８に移行する。
【００４２】
続く、ステップＳ１８において、制御部４は、商品比較情報表示部７における各購入希望商品毎の組み合わせデータの表示をクリアする。そして、この処理が行われると、図４に図示されるフローチャートに移行し、再度、ステップＳ１以降の動作が繰り返し実行される。
【００４３】
以上のように、この商品比較情報表示システムにおける第１の動作によれば、ユーザが３台の携帯電話Ａ、Ｂ、Ｃを選択し、それぞれ無線ＩＣタグリーダ３の読み取り可能位置に配置したとき、商品比較情報表示部７において各購入希望商品である３台の携帯電話Ａ、Ｂ、Ｃの組み合わせデータを比較可能な状態として表示されるものであり、ユーザが３台の携帯電話Ａ、Ｂ、Ｃにさらに１台の携帯電話Ｄを読み取り可能位置に配置した場合、または、携帯電話Ａ、Ｂ、Ｃの中の１台の携帯電話Ｃを読み取り可能位置から撤去した場合においても、新たな携帯電話の配置状態を設定した時点に、前述のフローチャートと動作経緯と同じ経緯の動作が引き続いて実行され、それにより商品比較情報表示部７における表示内容を直ちに新たな携帯電話の配置状態に対応した表示内容に変更することができるもので、新たな携帯電話の配置状態を設定する度に、その配置状態に対応した表示内容をダイナミックに変更することができるものである。
【００４４】
次いで、図４、図６及び図７は、この商品比較情報表示システムにおける第２の動作経緯を示すフローチャートであって、このフローチャートを用い、この商品比較情報表示システムで実行される第２の動作について説明する。なお、この商品比較情報表示システムにおいては、商品比較情報表示部７で商品比較情報を表示する際に、優位性の高いスペック項目を多く持つ商品を左列から順に表示するようにした例を示すものである。
【００４５】
この場合、商品比較情報表示システムで実行される第２の動作は、途中までは前述の第１の動作と同じ動作が行われるもので、具体的には、第２の動作においても、図４に図示されたフローチャートのステップＳ１乃至ステップＳ１４の動作が行われる。このため、第２の動作については、その重複説明を避けるために、以下、図４に図示されたフローチャートのステップＳ１乃至ステップＳ１４の動作説明を割愛し、図６及び図７に図示されたフローチャートについての動作の説明を行う。ただし、この第２の動作の説明においては、図４に図示したステップＳ６における図５に図示のフローチャートに移行の内容を、図６に図示のフローチャートに移行に読み替えるものとする。
【００４６】
始めに、図６のフローチャートに移行したステップＳ１９において、制御部４は、データ処理部５のワークエリアＢの第１行目（以下、この行をアルファ行という）をクリアする。
【００４７】
次に、ステップＳ２０において、制御部４は、データ処理部５のワークエリアＢに次の行（この場合、第２行目）があるか否かを判断する。そして、次の行があると判断した（Ｙ）ときは次のステップＳ２１に移行し、一方、次の行がないと判断した（Ｎ）ときは他のステップＳ２５に移行する。
【００４８】
次いで、ステップＳ２１において、制御部４は、取得した次の行のスペック内容が数値であって、かつ、当該スペック項目に対する優位性が「大」であるか否かを判断する。そして、スペック内容が数値で、その優位性が「大」であると判断した（Ｙ）ときは次のステップＳ２２に移行し、一方、それ以外であると判断した（Ｎ）ときは他のステップＳ２３に移行する。
【００４９】
続いて、ステップＳ２２において、制御部４は、その行で一番大きい数値を持つ列のアルファ行に１を加える。
【００５０】
続く、ステップＳ２３において、制御部４は、取得した次の行のスペック内容が数値であって、かつ、当該スペック項目に対する優位性が「小」であるか否かを判断する。そして、スペック内容が数値で、その優位性が「小」であると判断した（Ｙ）ときは次のステップＳ２４に移行し、一方、それ以外であると判断した（Ｎ）ときは前のステップＳ２０に移行し、ステップＳ２０以降の動作を繰り返し実行する。
【００５１】
次に、ステップＳ２４において、制御部４は、その行で一番小さい数値を持つ列のアルファ行に１を加える。
【００５２】
次いで、ステップＳ２５において、制御部４は、データ処理部５のワークエリアＢのＡ列を取得し、取得した内容を表示エリアＡ’列に複写する。
【００５３】
続いて、ステップＳ２６において、制御部４は、データ処理部５のワークエリアＢの次の列（この場合、Ｂ列）を取得する。
【００５４】
続く、ステップＳ２７において、制御部４は、その列のアルファ行の数値より大きい数値を持つ列があるか否かを判断する。そして、大きい数値を持つ列がないと判断した（Ｎ）ときは次のステップＳ２８に移行し、一方、大きい数値を持つ列があると判断した（Ｙ）ときは前のステップＳ２６に戻り、ステップＳ２６以降の動作を繰り返し実行する。
【００５５】
次に、ステップＳ２８において、制御部４は、データ処理部５のワークエリアＢの該当する列を表示エリアＡ’列＋「ワークエリアＢから表示エリアに複写した列の数」列に複写する。
【００５６】
次いで、ステップＳ２９において、制御部４は、データ処理部５のワークエリアＢから表示エリアに複写した列の数をカウントする。
【００５７】
続いて、ステップＳ３０において、制御部４は、データ処理部５のワークエリアＢにおける該当する列をクリアする。
【００５８】
続く、ステップＳ３１において、制御部４は、データ処理部５のワークエリアＢのＣ列以降が全てクリアされたか否かを判断する。そして、既に全てクリアされたと判断した（Ｙ）ときは次のステップＳ３１に移行し、一方、未だ全てクリアされていないと判断した（Ｎ）ときは前のステップＳ２６に戻り、再びステップＳ２６以降の動作が繰り返し実行される。
【００５９】
次に、ステップＳ３２において、制御部４は、データ処理部５の表示エリアにおけるアルファ行の内容をクリアする。この処理が行われた後、図７に図示されるフローチャートに移行する。
【００６０】
次いで、図７に図示されたフローチャートのステップＳ３３おいて、、制御部４は、データ処理部５のワークエリアＢに格納されたアルファ行の数値に基づいてスペック項目及びスペック内容を表示エリアに転送し、アルファ行の数値に対応して表示エリアの対応領域に表示データとして複写する。
【００６１】
続いて、ステップＳ３４において、制御部４は、データ処理部５の表示エリアに複写した表示データを商品比較情報表示部７に供給し、商品比較情報表示部７において各購入希望商品毎の表示データをアルファ行の数値に従って左側より優位性の多い順に表示するものである。
【００６２】
次いで、ステップＳ３５において、制御部４は、商品比較情報表示部７に表示データを供給してから所定の時間、例えば６０秒が経過したか否かを判断する。そして、所定の時間が未だ経過していないと判断した（Ｎ）ときはこのステップＳ３５を繰り返し実行し、一方、所定の時間が既に経過していると判断した（Ｙ）ときは次のステップＳ３６に移行する。
【００６３】
続く、ステップＳ３６において、制御部４は、商品比較情報表示部７における各購入希望商品毎の表示データをクリアする。そして、この処理が行われると、図４に図示されるフローチャートに移行し、再度、ステップＳ１以降の動作が繰り返し実行される。
【００６４】
以上のように、この商品比較情報表示システムにおける第２の動作によれば、ユーザが３台の携帯電話Ａ、Ｂ、Ｃを選択し、それぞれ無線ＩＣタグリーダ３の読み取り可能位置に配置したとき、商品比較情報表示部７において各購入希望商品である３台の携帯電話Ａ、Ｂ、Ｃの表示データをその優位性の多い順に左側から順に表示するものであって、例えば、図８に図示されるような表示が行われる。このとき、ユーザが商品比較情報表示部７の表示内容を見れば、携帯電話Ａ乃至Ｃにおけるそれぞれの商品価値の高低をその表示順により即座に判断できるものである。
【００６５】
そして、ユーザが３台の携帯電話Ａ、Ｂ、Ｃにさらに１台の携帯電話Ｄを読み取り可能位置に配置した場合、または、携帯電話Ａ、Ｂ、Ｃの中の１台の携帯電話Ｂを読み取り可能位置から撤去した場合等、購入対象商品の数を変更した場合においても、新たな携帯電話の配置状態を設定した時点に、前述のフローチャートと動作経緯と同じ経緯の動作が引き続いて実行され、それにより商品比較情報表示部７における表示内容を直ちに新たな携帯電話の配置状態に対応した表示内容に変更することができるもので、例えば、１台の携帯電話Ｄを増やした場合に図９に図示されるような表示が行われ、一方、１台の携帯電話Ｂを撤去した場合に図９に図示されるような表示が行われる。このように、新たな携帯電話の配置状態を設定する度毎に、その配置状態に対応した表示内容を自由に変更することができるものである。
【００６６】
なお、前述の第２の動作の説明においては、商品比較情報表示部７における複数個の携帯電話の表示順序を優位性の多い順に左側から表示する例を挙げているが、複数個の携帯電話の表示順序を優位性の多い順に左側から表示する代わりに、表示形態を変更して優位性の多い順に上側から表示するようにしてもよい。
【図面の簡単な説明】
【００６７】
【図１】本発明による商品比較情報表示システムの実施の態様を示すもので、その要部構成を表すブロック図である。
【図２】商品比較情報表示システムのデータ記憶部に格納されるデータベース及び第１の動作経緯における商品比較情報表示部の表示内容の一例を示すものである。
【図３】データ処理部の内部メモリに設定されているワークエリア及び表示エリアを示す。
【図４】商品比較情報表示システムにおける第１及び第２の動作経緯の前半部を示すフローチャートである。
【図５】商品比較情報表示システムにおける第１の動作経緯の後半部を示すフローチャートである。
【図６】商品比較情報表示システムにおける第２の動作経緯の第１後半部を示すフローチャートである。
【図７】商品比較情報表示システムにおける第２の動作経緯の第２後半部を示すフローチャートである。
【図８】商品比較情報表示システムにおける第２の動作経緯において、商品比較情報表示部における表示データの一つの表示例を示すものである。
【図９】商品比較情報表示システムにおける第２の動作経緯において、商品比較情報表示部における表示データの他の表示例を示すものである。
【図１０】商品比較情報表示システムにおける第２の動作経緯において、商品比較情報表示部における表示データのさらに別の表示例を示すものである。
【符号の説明】
【００６８】
１  データ処理端末
２（１）、２（２）、・・・、２（ｎ）  商品
３  無線ＩＣタグリーダ
３（１）  アンテナ
４  制御部
５  データ処理部
６  データ記憶部
７  商品比較情報表示部
８  操作部
９  内部ＬＡＮ
１０（１）、１０（２）、・・・、１０（ｎ）  無線ＩＣタグ
【図１】
2008083771.tif 000003
【図２】
2008083771.tif 000004
【図３】
2008083771.tif 000005
【図４】
2008083771.tif 000006
【図５】
2008083771.tif 000007
【図６】
2008083771.tif 000008
【図７】
2008083771.tif 000009
【図８】
2008083771.tif 000010
【図９】
2008083771.tif 000011
【図１０】
2008083771.tif 000012